(57)【要約】  超純水製造システムなどで好適に使用される、臭気を低減した陰イオン交換樹脂及びこれを用いた水処理方法を提供する。塩基性陰イオン交換樹脂と、前記塩基性陰イオン交換樹脂１００質量部に対して０．０１質量部以上５質量部未満のＨ型強酸性陽イオン交換樹脂とを混合してなる臭気を抑えた陰イオン交換樹脂。塩基性陰イオン交換樹脂としては、塩基性交換樹脂に、パラジウムを担持させたパラジウム担持樹脂や亜硫酸基及び／又は亜硫酸水素基を有する還元性樹脂が好ましい。
2019188309.tif 000002
【特許請求の範囲】
【請求項１】
塩基性陰イオン交換樹脂と、前記塩基性陰イオン交換樹脂１００質量部に対して０．０１質量部以上５質量部未満のＨ型陽イオン交換樹脂とを混合してなることを特徴とする臭気を抑えた陰イオン交換樹脂。
【請求項２】
前記塩基性陰イオン交換樹脂と前記Ｈ型陽イオン交換樹脂は逆洗分離されないことを特徴とする請求項１に記載の陰イオン交換樹脂。
【請求項３】
前記塩基性陰イオン交換樹脂にパラジウムが担持されたパラジウム担持樹脂を含むことを特徴とする請求項１又は２に記載の陰イオン交換樹脂。
【請求項４】
前記塩基性陰イオン交換樹脂に亜硫酸基及び／又は亜硫酸水素基を有する還元性樹脂を含むことを特徴とする請求項１又は２に記載の陰イオン交換樹脂。
【請求項５】
陰イオン交換樹脂に被処理水を通水する水処理方法であって、
前記陰イオン交換樹脂は、塩基性陰イオン交換樹脂と、前記塩基性陰イオン交換樹脂１００質量部に対して０．０１質量部以上５質量部未満のＨ型陽イオン交換樹脂とを混合してなる臭気を抑えた陰イオン交換樹脂であることを特徴とする水処理方法。
【発明の詳細な説明】
【技術分野】
【０００１】
本発明は、陰イオン交換樹脂及びこれを用いた水処理方法に関する。
【背景技術】
【０００２】
従来、半導体製造工程で使用する超純水は、超純水製造システムを用いて製造されている。超純水製造システムは、例えば、原水中の懸濁物質を除去して前処理水を得る前処理部、前処理水中の全有機炭素（ＴＯＣ）成分やイオン成分を、逆浸透膜装置やイオン交換装置を用いて除去して一次純水を製造する一次純水製造部及び一次純水中の極微量の不純物を除去して超純水を製造する二次純水製造部を有している。原水としては、市水、井水、地下水、工業用水等の他、超純水の使用場所（ユースポイント：ＰＯＵ）で回収された使用済みの超純水（以下、「回収水」と称する。）が用いられる。【０００３】
このような超純水製造システムでは、一般的に、原水中のイオン成分を除去するために陰イオン交換樹脂や陽イオン交換樹脂が使用される。例えば、イオン交換樹脂を使用した装置として、大規模な超純水製造システムにおいては、陽イオン交換樹脂と陰イオン交換樹脂を別の塔に充填した複床式の装置が使用されることがある。この複床式の装置としては、陽イオン交換樹脂を充填したカチオン塔と、陰イオン交換樹脂を充填したアニオン塔を直列に接続し、これらの間（カチオン塔の後）に脱炭酸塔を設けた２床３塔式の装置が一般的である。【０００４】
また、イオン交換樹脂を使用した装置においては、塩基性陰イオン交換樹脂に特定の機能を有する官能基や金属を導入して、一次純水中の微量不純物を除去する方法も知られている（例えば、特許文献１、２参照。）。【０００５】
ここで、イオン交換樹脂の中でも、塩基性陰イオン交換樹脂は、そのイオン交換基としてアミンを有する。そのため、塩基性陰イオン交換樹脂から、トリメチルアミン（以下、ＴＭＡともいう。）、ジメチルアミン、モノメチルアミン等のアミン類が微量漏出する。これらのアミン類は腐敗魚臭と表現される臭気を発生する。特にＴＭＡはごく微量であっても、相当程度の臭気を発生する。【０００６】
上記のような超純水製造システムでは、規模にもよるが、１つの樹脂塔あたり約１００Ｌのイオン交換樹脂が使用され、このような樹脂塔が１つのイオン交換樹脂装置あたり数十塔配置される。【０００７】
そのため、非再生型のイオン交換樹脂装置などで、樹脂塔内部の塩基性陰イオン交換樹脂を交換する際には、ＴＭＡの臭気が周囲に立ち込めるため、その対策が求められていた。特に、大規模の超純水製造システムでは、一度に交換される樹脂量も多く、臭気も相当程度に増大するという問題がある。さらに、超純水が供給される半導体製造工場などの超純水の使用場所（POU : Point of Use）に臭気が達し、工場の作業者に不快感を与えるなどの問題もある。【０００８】
ここで、塩基性陰イオン交換樹脂の処理水の臭気対策として、強塩基性アニオン交換樹脂をＨ形のカチオン交換樹脂と混合状態で加熱処理し、その後カチオン交換樹脂を分離して、溶出物を低減化した強塩基性陰イオン交換樹脂を用いた方法が知られている（例えば、特許文献３参照。）。また、食品製造業で使用される回収処理水を含む用水処理水の臭気を除去する方法として、アニオン交換樹脂から漏出する臭気を有する水を塩形カチオン交換樹脂に通水させる方法も知られている（例えば、特許文献４参照。）。【０００９】
しかしながら、特許文献３の方法は、混合、加熱、分離という工程を経るために、イオン交換樹脂の製造時のプロセスが増えるため、コストアップや納期が長くなる問題があり、通常は行われていない。また、特許文献４に記載の方法では、水中の臭気が低減できるものの、強塩基性陰イオン交換樹脂の入れ替えの際の臭気対策としては十分な効果が得られないという問題があった。
【先行技術文献】
【特許文献】
【００１０】
【特許文献１】特開昭６１−１７４９８７号公報
【特許文献２】特公昭６２−３５８３８号公報
【特許文献３】特開２００７−７５７２０号公報
【特許文献４】特開２０１５−２４３７９号公報
【発明の概要】
【発明が解決しようとする課題】
【００１１】
本発明は上記した課題を解決するためになされたものであって、超純水製造システムなどで好適に使用される、臭気を低減した陰イオン交換樹脂及びこれを用いた水処理方法を提供することを目的とする。
【課題を解決するための手段】
【００１２】
本発明の臭気を抑えた陰イオン交換樹脂は、塩基性陰イオン交換樹脂と、前記塩基性陰イオン交換樹脂１００質量部に対して０．０１質量部以上５質量部未満のＨ型強酸性陽イオン交換樹脂とを混合してなることを特徴とする。【００１３】
本発明の陰イオン交換樹脂は、前記塩基性陰イオン交換樹脂と前記Ｈ型強酸性陽イオン交換樹脂は逆洗分離されないことが好ましい。【００１４】
本発明の陰イオン交換樹脂は、前記塩基性陰イオン交換樹脂にパラジウムが担持されたパラジウム担持樹脂を含むことが好ましい。【００１５】
本発明の陰イオン交換樹脂において、前記塩基性陰イオン交換樹脂に、亜硫酸基及び／又は亜硫酸水素基を有する還元性樹脂を含むことが好ましい。【００１６】
本発明の水処理方法は、陰イオン交換樹脂に被処理水を通水する水処理方法であって、前記陰イオン交換樹脂は、塩基性陰イオン交換樹脂と、前記塩基性陰イオン交換樹脂１００質量部に対して０．０１質量部以上５質量部未満のＨ型強酸性陽イオン交換樹脂とを混合してなる臭気を抑えた陰イオン交換樹脂であることを特徴とする。
【発明の効果】
【００１７】
本発明によれば、超純水製造システムなどに好適な、臭気を低減した陰イオン交換樹脂及びこれを用いた水処理方法を提供することができる。
【図面の簡単な説明】
【００１８】
【図１】第１の実施形態に係る超純水製造システムを概略的に表すブロック図である。
【図２】図１に示す超純水製造システムの一次純水製造部の一例を概略的に表すブロック図である。
【図３】図２に示す超純水製造システムの二次純水製造部の一例を概略的に表すブロック図である。
【発明を実施するための形態】
【００１９】
以下、本発明の一実施形態について詳細に説明する。
本実施形態の陰イオン交換樹脂は、塩基性陰イオン交換樹脂と、Ｈ型陽イオン交換樹脂とを混合してなり、塩基性陰イオン交換樹脂１００質量部に対するＨ型陽イオン交換樹脂の量が０．０１質量部以上５質量部未満である。Ｈ型陽イオン交換樹脂の量は、５質量部以上では、Ｈ型陽イオン交換樹脂が過剰になるので陰イオン交換機能を損ない、０．０１質量部未満では十分な臭気の低減効果が得られない。本実施形態の陰イオン交換樹脂において、塩基性陰イオン交換樹脂に対するＨ型陽イオン交換樹脂の量は、０．１質量部以上２質量部以下がより好ましい。０．５質量部以上１．５質量部以下がさらに好ましい。
【００２０】
なお、本実施形態の陰イオン交換樹脂は、厳密には、陰イオン交換樹脂と陽イオン交換樹脂を混合した混床樹脂に該当するが、陽イオン交換樹脂の量が陰イオン交換樹脂に比べて微量であり、陰イオン交換樹脂としての使用が好適であることから、「陰イオン交換樹脂」と称する。
【００２１】
塩基性陰イオン交換樹脂は、その使用により、トリメチルアミン（ＴＭＡ）、ジメチルアミン、モノメチルアミン等のアミン類による臭気を発生するものである。塩基性陰イオン交換樹脂としては、公知の塩基性陰イオン交換樹脂が特に限定されずに用いることができ、１級アミン、２級アミン又は３級アミンを交換基として有する弱塩基性陰イオン交換樹脂と、４級アンモニウム基を交換基として有する強塩基性陰イオン交換樹脂が挙げられる。４級アンモニウム基としては、例えば、トリメチルアンモニウム基や、ジメチルエタノールアンモニウム基等が挙げられる。また、これらの塩基性陰イオン交換樹脂は、一般に、架橋ポリスチレン（スチレン・ジビニルベンゼン共重合体）又はポリアクリル酸エステルを樹脂骨格として有する。これらの中でも、臭気を発しやすい強塩基性陰イオン交換樹脂を使用した場合に多大な効果が得られる。
【００２２】
塩基性陰イオン交換樹脂の比重は、通常１．０〜１．１ｇ／ｃｍ３であり、交換容量は好ましくは０．７〜１．５ｍｅｑ／ｍＬ、より好ましくは１〜１．５ｍｅｑ／ｍＬである。このような塩基性陰イオン交換樹脂の市販品としては、ダウケミカル社製のＤＵＯＬＩＴＥ  ＡＧＰ、三菱化学社製のＳＡＴ２０Ｌ等が挙げられる。
【００２３】
塩基性陰イオン交換樹脂は、塩型であってもＯＨ型であってもよい。塩型の塩基性陰イオン交換樹脂からＯＨ型を得る方法としては、塩型の塩基性陰イオン交換樹脂に、水酸化ナトリウム水溶液、水酸化カリウム水溶液等のアルカリ性水溶液を通流させて再生する方法がある。塩基性陰イオン交換樹脂は、臭気を発しやすいＯＨ型であると、多大な臭気抑制の効果が得られる。塩基性陰イオン交換樹脂は、ＯＨ型である場合、ＯＨ型転換率としては、９９．９５％以上が好ましい。
【００２４】
本実施形態で使用される塩基性陰イオン交換樹脂としては、塩基性陰イオン交換樹脂、好ましくは強塩基性陰イオン交換樹脂にパラジウム（Ｐｄ）を担持させたパラジウム担持樹脂や白金（Ｐｔ）を担持した白金担持樹脂を用いてもよい。パラジウム担持樹脂は、塩基性陰イオン交換樹脂に、塩化パラジウムの酸性溶液を通水して得られる。パラジウム担持樹脂におけるパラジウムの担持量は、０．１ｇ−Ｐｄ／Ｌ〜２ｇ−Ｐｄ／Ｌであると、臭気抑制に多大な効果を発揮する。
【００２５】
本実施形態で使用される塩基性陰イオン交換樹脂としては、塩基性陰イオン交換樹脂に亜硫酸基（−ＳＯ３）又は亜硫酸水素基（−ＳＯ３Ｈ）を有する還元性樹脂を用いてもよい。還元性樹脂は、塩基性陰イオン交換樹脂に、亜硫酸水素ナトリウムや亜硫酸ナトリウムの水溶液を濃度１〜５Ｎ程度で通液して、亜硫酸基又は亜硫酸水素基をイオン交換することで得られる。還元性樹脂に使用される塩基性陰イオン交換樹脂は、強塩基性陰イオン交換樹脂であることが好ましい。また、還元性樹脂は、亜硫酸基と亜硫酸水素基の両方を有していてもよい。還元性樹脂における亜硫酸基と亜硫酸水素基の量は、合計で、０．７ｍｏｌ／Ｌ〜１．５ｍｏｌ／Ｌであると、臭気抑制に多大な効果を発揮する。また、上記のようにして得られた還元性樹脂と陽イオン交換樹脂は、上記処理前の陰イオン交換樹脂と陽イオン交換樹脂に比べ、逆洗分離しにくくなるので、輸送中、もしくは使用中に分離することがほとんどない。したがって、安定して臭気が抑えられるともに、使用時の性能も安定する。
【００２６】
Ｈ型陽イオン交換樹脂は、交換基がＨ型に再生された陽イオン交換樹脂であり、例えば、スルホン酸基（−ＳＯ３Ｈ）を交換基として有する強酸性陽イオン交換樹脂、又はカルボン酸基（−ＣＯＯＨ）を交換基として有する弱酸性陽イオン交換樹脂が挙げられる。陽イオン交換樹脂は、一般に、架橋ポリスチレン（スチレン・ジビニルベンゼン共重合体）を樹脂骨格として有する。
【００２７】
Ｈ型陽イオン交換樹脂の比重は、通常１．２〜１．３ｇ／ｃｍ３であり、交換容量は好ましくは１．５〜２．５ｍｅｑ／ｍＬ、より好ましくは２〜２．５ｍｅｑ／ｍＬである。Ｈ型陽イオン交換樹脂は、塩型の陽イオン交換樹脂に塩酸などの酸性水溶液を通液して再生することで得られる。Ｈ型陽イオン交換樹脂のＨ型転換率としては、９９．９５％以上が好ましい。Ｈ型陽イオン交換樹脂は強酸性陽イオン交換樹脂であることが好ましい。強酸性陽イオン交換樹脂の市販品としては、ダウケミカル社製のＤＵＯＬＩＴＥ  ＣＧＰ、三菱化学社製のＳＫＴ−２０Ｌ等が挙げられる。
【００２８】
本実施形態の陰イオン交換樹脂は、上記した割合で塩基性陰イオン交換樹脂とＨ型陽イオン交換樹脂を混合してなり、混合状態でＨ型陽イオン交換樹脂を分離することなく水処理等に適用されることが好ましい。そのため、塩基性陰イオン交換樹脂とＨ型陽イオン交換樹脂は逆洗分離されにくい組み合わせが好ましい。この逆洗分離条件は、例えば、上昇流でＬＶ＝１０〜２０［ｍ／ｈｒ］である。また、逆洗分離されにくい組み合わせとしては、上記以外にも、同一の条件で測定した塩基性陰イオン交換樹脂とＨ型陽イオン交換樹脂の沈降速度の分布が類似しており、沈降速度の分布中に互いに共通する速度領域を含むものであることが好ましい。ここでの沈降速度は、実測した値でもよく、あるいはアレンの式等により理論上求められる値であってもよい。
【００２９】
本実施形態の陰イオン交換樹脂は、上記した割合で塩基性陰イオン交換樹脂とＨ型陽イオン交換樹脂を混合して製造される。混合方法としては、樹脂塔内に塩基性陰イオン交換樹脂とＨ型陽イオン交換樹脂を上記の割合で収容し、塔内で樹脂の水抜きを行ったのち、樹脂塔の下部から窒素ガスを注入して混合する方法や、撹拌モーターなどにより機械的に撹拌して混合する方法などが挙げられる。
【００３０】
本実施形態の陰イオン交換樹脂を用いた水処理方法は、上記実施形態の陰イオン交換樹脂に被処理水を通水させる方法である。このような水処理としては、純水ないし超純水の製造が好適である。
【００３１】
本実施形態の陰イオン交換樹脂を用いた純水製造システムとしては、例えば、前処理部及び一次純水製造部を有する純水製造システムが挙げられる。また、この純水製造システムは、該純水製造システムの一次純水製造部の下流に二次純水製造部を有する超純水製造システムであってもよい。
【００３２】
図１は、本実施形態の超純水製造システム１０を概略的に表すブロック図である。本実施形態の超純水製造システム１０は、前処理部１１、一次純水製造部１２、タンク１３及び二次純水製造部１４を有している。
【００３３】
本実施形態の超純水製造システム１０で使用される原水としては、市水、井水、工業用水等を使用することができる。
【００３４】
超純水製造システム１０において、前処理部１１は、原水の水質などによって適宜構成され、原水の懸濁物質を除去して前処理水を生成する。前処理部１１は、例えば、砂ろ過装置、精密ろ過装置等を適宜選択して構成され、さらに必要に応じて被処理水の温度調節を行う熱交換器等を備えて構成される。
【００３５】
一次純水製造部１２は、前処理水中のイオン成分及び非イオン成分、溶存ガスを除去して一次純水を製造し、この一次純水をタンク１３に供給する。上記実施形態の陰イオン交換樹脂を用いた一次純水製造部１２としては、例えば、図２に示すように、逆浸透膜装置（ＲＯ）１２１、二床三塔型装置（２Ｂ３Ｔ：陽イオン交換樹脂塔１２２ａ、脱炭酸等１２２ｂ及び陰イオン交換樹脂塔１２２ｃを直列に有する装置）１２２、逆浸透膜装置（ＲＯ）１２３、紫外線酸化装置（ＴＯＣ−ＵＶ）１２４、混床式イオン交換装置（ＭＢ）１２５、脱気装置（ＤＧ：膜脱気装置又は真空脱気装置）１２６を順に有する構成が挙げられる。上記構成において、実施形態の陰イオン交換樹脂は、例えば二床三塔型装置の陰イオン交換樹脂塔に収容される。
【００３６】
一次純水は、例えば、全有機炭素（ＴＯＣ）濃度が５μｇＣ／Ｌ以下、抵抗率が１７ＭΩ・ｃｍ以上である。
【００３７】
タンク１３は、一次純水を貯留して、その必要量を二次純水製造部１４に供給する。
【００３８】
二次純水製造部１４は、一次純水中の微量不純物を除去して超純水を製造する。二次純水製造部１４は、図３に示すように、タンク１３の下流に、熱交換器（ＨＥＸ）１４１、紫外線酸化装置（ＴＯＣ−ＵＶ）１４２、過酸化水素除去装置（Ｈ２Ｏ２除去装置）１４３、脱気膜装置（ＭＤＧ）１４４、非再生型混床式イオン交換樹脂装置（Ｐｏｌｉｓｈｅｒ）１４５及び限外ろ過装置（ＵＦ）１４６を備えて構成される。なお、二次純水製造部１４は、上記装置を必ずしも備える必要はなく、上記装置を必要に応じて組み合わせて構成すればよい。
【００３９】
上記構成において、熱交換器１４１は、必要に応じてタンク１３から供給された一次純水の温度調節を行う。紫外線酸化装置１４２は、一次純水に紫外線を照射して、水中の微量有機物を分解除去する。紫外線酸化装置１４２は、例えば、紫外線ランプを有し、波長１８５ｎｍ付近の紫外線を発生する。紫外線酸化装置１４２は、さらに波長２５４ｎｍ付近の紫外線を発生してもよい。
【００４０】
過酸化水素除去装置１４３は、水中の過酸化水素を分解除去する装置であり、例えば、パラジウム（Ｐｄ）担持樹脂によって過酸化水素を分解除去するパラジウム担持樹脂装置や、塩基性陰イオン交換樹脂に亜硫酸基及び／又は亜硫酸水素基を有する還元性樹脂を充填した還元性樹脂装置等である。本構成の二次純水製造部１４において、上記実施形態の陰イオン交換樹脂は、パラジウム担持樹脂装置で使用されるパラジウム担持樹脂の材料か、還元性樹脂装置で使用される還元性樹脂の材料であることが好ましい。これらは、前処理部１１や一次純水製造部１２に比べて、半導体製造工場など超純水の使用場所の近くに配置されるため、樹脂交換時の臭気抑制に多大な効果を発揮する。
【００４１】
脱気膜装置１４４は、気体透過性の膜の二次側を減圧して、一次側を通流する水中の溶存ガスのみを二次側に透過させて除去する装置である。脱気膜装置１４４として具体的には、３Ｍ社製のＸ５０、Ｘ４０、ＤＩＣ社製のＳｅｐａｒｅｌなどの市販品を用いることができる。脱気膜装置１４４は、過酸化水素除去装置６の処理水中の溶存酸素を除去して、例えば、溶存酸素濃度（ＤＯ）が１μｇ／Ｌ以下の処理水を生成する。
【００４２】
非再生型混床式イオン交換樹脂装置１４５は、陽イオン交換樹脂と陰イオン交換樹脂が混合された混床式イオン交換樹脂を有し、脱気膜装置の処理水中の微量の陽イオン成分及び陰イオン成分を吸着除去する。なお、非再生型混床式イオン交換樹脂装置１４５においても、樹脂の劣化に応じて交換が行われるが、非再生型混床式イオン交換樹脂装置１４５では、陽イオン交換樹脂が陰イオン交換樹脂とほぼ同量で混合されるため、臭気発生の問題が生じにくい。そのため、非再生型混床式イオン交換樹脂装置１４５における陰イオン交換樹脂は、上記本実施形態の陰イオン交換樹脂を使用しなくても構わない。
【００４３】
非再生型混床式イオン交換樹脂装置１４５の有する、陽イオン交換樹脂として、強酸性陽イオン交換樹脂や弱酸性陽イオン交換樹脂が、陰イオン交換樹脂として、強塩基性陰イオン交換樹脂や弱塩基性陰イオン交換樹脂が挙げられる。混床式イオン交換樹脂の市販品としては、例えば、野村マイクロ・サイエンス社製、Ｎ−Ｌｉｔｅ  ＭＢＳＰ、ＭＢＧＰなどが挙げられる。
【００４４】
限外ろ過膜装置１４６は、例えば、粒子径５０ｎｍ以上、好ましくは２０ｎｍ以上、より好ましくは１０ｎｍ以上の微粒子を除去して超純水を製造する。超純水の水質としては、例えば、粒子径５０ｎｍ以上の微粒子数が５０ｐｃｓ．／Ｌ以下、全有機炭素（ＴＯＣ）濃度が１μｇＣ／Ｌ以下、抵抗率が１８ＭΩ・ｃｍ以上である。
【００４５】
上記で説明した実施形態の陰イオン交換樹脂によれば、塩基性陰イオン交換樹脂の、トリメチルアミン（ＴＭＡ）、ジメチルアミン、モノメチルアミン等のアミン類による臭気を著しく抑制することができる。そのため、純水の製造や超純水の製造などの水処理に好適であり、例えば、超純水製造システムにおいて使用した場合に、樹脂交換時の臭気を著しく低減することができる。
【実施例】
【００４６】
次に、実施例について説明する。本発明は以下の実施例に限定されない。【００４７】
（実施例１）
内容量２Ｌのポリエチレン製の容器に、ダウケミカル社製の強塩基性陰イオン交換樹脂：ＤＵＯＬＩＴＥ  ＡＧＰを亜硫酸でイオン交換して得た還元性樹脂の５００ｇとＨ型陽イオン交換樹脂（ダウケミカル製、ＤＵＯＬＩＴＥ  ＣＧＰ）の５ｇを収容し、上部開口にビニールを被せ、ふたをして密閉した。これを３０日間保管後、ふたを外し、ガス検知管（ガステック社ガス検知管、アミン類（型番：１８０または１８０Ｌ））をビニールに刺して、ビーカー内部の気体中のアミン類濃度を測定した。得られた測定値をトリメチルアミン濃度として換算した。結果を表１に示す。
なお、実施例１の樹脂を５００ｇ使用して、逆洗分離試験を行ったところ、Ｈ型陽イオン交換樹脂の大部分は還元性樹脂と混合のままで分離しなかった。（逆洗展開率１０％、逆洗時間１０分)【００４８】
（実施例２）
内容量２Ｌのポリエチレン製の容器に、ダウケミカル社製の強塩基性陰イオン交換樹脂：ＤＵＯＬＩＴＥ  ＡＧＰの５００ｇとＨ型陽イオン交換樹脂（ダウケミカル製、ＤＵＯＬＩＴＥ  ＣＧＰ）の５ｇを収容したほかは、実施例１と同様の試験を行った。
なお、実施例２の樹脂を５００ｇ使用して、逆洗分離試験を行ったところ、分離した。（逆洗展開率１０％、逆洗時間１０分）【００４９】
（実施例３）
内容量２Ｌのポリエチレン製の容器に、ランクセス社製の塩基性陰イオン交換樹脂にパラジウムを担持した触媒樹脂：レバチット  Ｋ７３３３の５００ｇとＨ型陽イオン交換樹脂（ダウケミカル製、ＤＵＯＬＩＴＥ  ＣＧＰ）の５ｇを収容したほかは、実施例１と同様の試験を行った。
なお、実施例３の樹脂を５００ｇ使用して、逆洗分離試験を行ったところ、Ｈ型陽イオン交換樹脂の大部分は触媒樹脂と混合のままで分離しなかった。（逆洗展開率１０％、逆洗時間１０分）【００５０】
（比較例１）
ポリエチレン製の容器に、強塩基性陰イオン交換樹脂（ダウケミカル社製のＤＵＯＬＩＴＥ  ＡＧＰ）のみを５００ｇ収容したほかは、実施例１と同様の試験を行った。【００５１】
（比較例２）
ポリエチレン製の容器に、実施例１と同様の還元性樹脂のみを５００ｇ収容したほかは、実施例１と同様の試験を行った。【００５２】
（比較例３）
ポリエチレン製の容器に、実施例１と同様の還元性樹脂の５００ｇとＮａ型陽イオン交換樹脂（ダウケミカル製、ＤＵＯＬＩＴＥ  ＣＧＰをＮａ型にイオン交換したもの）の５ｇを収容したほかは、実施例１と同様の試験を行った。各比較例の結果を実施例とあわせて表１に示す。
なお、比較例３の樹脂を５００ｇ使用して、逆洗分離試験を行ったところ、きれいに２層に分離した。（逆洗展開率１０％、逆洗時間１０分）【００５３】
【表１】
2019188309.tif 000003
【００５４】
表１より、塩基性陰イオン交換樹脂（還元性樹脂）１００質量部に対して１質量部のＨ型の陽イオン交換樹脂を混合した実施例１では、Ｈ型陽イオン交換樹脂を混合しない比較例１、２や、塩型陽イオン交換樹脂を混合した比較例３に比べて、ＴＭＡに代表されるアミン類の臭気の発生を効果的に抑制できることがわかる。
【符号の説明】
【００５５】
１０…超純水製造システム、１１…前処理部、１２…一次純水製造部、１３…タンク、１４…二次純水製造部
【図１】
2019188309.tif 000004
【図２】
2019188309.tif 000005
【図３】
2019188309.tif 000006
【国際調査報告】
2019188309.tif 000007
2019188309.tif 000008
2019188309.tif 000009
2019188309.tif 000010